(57)【要約】【課題】配線部材の配置の自由度を向上する。【解決手段】本発明のレンズ鏡筒１は、固定筒２０と、固定筒に対して光軸方向に移動可能に設けられた移動筒９０と、移動筒に固定されると共に光軸を通る開口部９３が設けられた保持部９２と、保持部に対して光軸方向に相対移動が可能なレンズ群Ｌ１と、レンズ群の相対移動を行う駆動力を発生するアクチュエータ１１０と、その駆動出力をレンズ群Ｌ１の相対移動に変換すると共に保持部９２に固定されたギア列１１１と、保持部に設けられ、レンズ群の相対移動を案内する案内部材９４と、アクチュエータに電力を供給する可撓性を有する配線部材１２０と、を備え、保持部上のギア列とギア列に対して開口部を挟んで反対側に配置された案内部材とを結ぶ直線により２分割された領域のうちの一方ＺＡにアクチュエータが配置され、２分割された他方ＺＢ側において配線部材が保持部から固定筒側に延びている。【選択図】図２
2008304796.tif 000002
【特許請求の範囲】
【請求項１】
固定筒と、
前記固定筒に対して光軸方向に移動可能に設けられた移動筒と、
前記移動筒に固定されると共に光軸を通る開口部が設けられた保持部と、
前記保持部に対して光軸方向に相対移動が可能なレンズ群と、
前記レンズ群の前記相対移動を行うための駆動力を発生するアクチュエータと、
前記アクチュエータの駆動力を前記レンズ群の前記相対移動に変換すると共に前記保持部に固定されているギア列と、
前記保持部に設けられ、前記レンズ群の前記相対移動を案内する案内部材と、
前記アクチュエータに電力を供給する可撓性を有する配線部材と、を備え、
前記保持部上における、前記ギア列と該ギア列に対して前記開口部を挟んで反対側に配置された前記案内部材とを結ぶ直線により２分割された領域のうちの一方に前記アクチュエータが配置され、２分割された他方側において前記配線部材が前記保持部から前記固定筒側に延びていることを特徴とするレンズ鏡筒。
【請求項２】
請求項１に記載のレンズ鏡筒であって、
前記配線部材が短手方向に延びる折り目を有する山折りと谷折りとを繰り返した伸縮構造を備えることを特徴とするレンズ鏡筒。
【請求項３】
請求項１又は２に記載のレンズ鏡筒であって、
前記保持部が略円環形状を有すると共に前記開口部が円形であり、前記開口部の中心が前記保持部の中心に対して偏心して配置されることにより、前記保持部において径方向の幅の広い部分と幅の狭い部分とが形成され、前記幅の広い部分に前記アクチュエータが配置されていることを特徴とするレンズ鏡筒。
【請求項４】
請求項１〜３のいずれか１項に記載のレンズ鏡筒であって、
前記レンズ群を保護するレンズバリアを備え、
前記レンズバリアを開閉するための開閉機構が、前記保持部における前記一方に配置されていることを特徴とするレンズ鏡筒。
【請求項５】
請求項１〜４のいずれか１項に記載のレンズ鏡筒であって、
前記レンズ群の位置を検出する位置検出部を備え、
該位置検出部が、前記保持部における前記一方に配置されていることを特徴とするレンズ鏡筒。
【請求項６】
請求項１〜５のいずれか１項に記載のレンズ鏡筒を備えたカメラ。
【発明の詳細な説明】
【技術分野】
【０００１】
本発明は、レンズ鏡筒及びカメラに関するものである。
【背景技術】
【０００２】
従来、レンズ鏡筒においてフォーカスモータやその他の部材に電力を供給するためにフレキシブルプリント基板等の配線部材が使用されている（例えば、特許文献１参照）。配線部材は、レンズ鏡筒内部において他部品を回避しつつ光軸と平行に延び、レンズ鏡筒が最大に繰り出したときに必要箇所を接続するために十分な長さを有している必要がある。
【特許文献１】特開２００３−０９８４１５号公報
【発明の開示】
【発明が解決しようとする課題】
【０００３】
一方、レンズ鏡筒が縮んだ状態においては、配線部材をその長さよりも短い距離に収納しなくてはならない。この際、配線部材は、他部品を回避しつつ折り畳む等の各種工夫がなされて配置されているが、スペース的に限定されているため配置の自由度が少ない。本発明の課題は、配線部材の配置の自由度を向上することである。
【課題を解決するための手段】
【０００４】
本発明は、以下のような解決手段により前記課題を解決する。なお、理解を容易にするために、本発明の実施形態に対応する符号を付して説明するが、これに限定されるものではない。
【０００５】
請求項１に記載の発明は、固定筒（２０）と、前記固定筒（２０）に対して光軸方向に移動可能に設けられた移動筒（９０）と、前記移動筒（９０）に固定されると共に光軸を通る開口部（９３）が設けられた保持部（９２）と、前記保持部（９２）に対して光軸方向に相対移動が可能なレンズ群（Ｌ１）と、前記レンズ群（Ｌ１）の前記相対移動を行うための駆動力を発生するアクチュエータ（１１０）と、前記アクチュエータ（１１０）の駆動力を前記レンズ群（Ｌ１）の前記相対移動に変換すると共に前記保持部（９２）に固定されているギア列（１１１）と、前記保持部（９２）に設けられ、前記レンズ群（Ｌ１）の前記相対移動を案内する案内部材（９４）と、前記アクチュエータ（１１０）に電力を供給する可撓性を有する配線部材（１２０）と、を備え、前記保持部（９２）上における、前記ギア列（１１１）と該ギア列（１１１）に対して前記開口部（９３）を挟んで反対側に配置された前記案内部材（９４）とを結ぶ直線により２分割された領域のうちの一方（ＺＡ）に前記アクチュエータ（１１０）が配置され、２分割された他方（ＺＢ）側において前記配線部材（１２０）が前記保持部（９２）から前記固定筒（２０）側に延びていることを特徴とするレンズ鏡筒（１）である。
請求項２に記載の発明は、請求項１に記載のレンズ鏡筒（１）であって、前記配線部材（１２０）が短手方向に延びる折り目を有する山折りと谷折りとを繰り返した伸縮構造を備えることを特徴とするレンズ鏡筒（１）である。
請求項３に記載の発明は、請求項１又は２に記載のレンズ鏡筒（１）であって、前記保持部（９２）が略円環形状を有すると共に前記開口部（９３）が円形であり、前記開口部（９３）の中心が前記保持部（９２）の中心に対して偏心して配置されることにより、前記保持部（９２）において径方向の幅の広い部分（ＺＡ１）と幅の狭い部分（ＺＡ２）とが形成され、前記幅の広い部分（ＺＡ１）に前記アクチュエータ（１１０）が配置されていることを特徴とするレンズ鏡筒（１）である。
請求項４に記載の発明は、請求項１〜３のいずれか１項に記載のレンズ鏡筒（１）であって、前記レンズ群（Ｌ１）を保護するレンズバリア（１４１）を備え、前記レンズバリア（１４１）を開閉するための開閉機構（１４５）が、前記保持部（９２）における前記一方（ＺＡ）に配置されていることを特徴とするレンズ鏡筒（１）である。
請求項５に記載の発明は、請求項１〜４のいずれか１項に記載のレンズ鏡筒（１）であって、前記レンズ群（Ｌ１）の位置を検出する位置検出部（１３０）を備え、該位置検出部が、前記保持部（９２）における前記一方（ＺＡ）に配置されていることを特徴とするレンズ鏡筒（１）である。
請求項６に記載の発明は、請求項１〜５のいずれか１項に記載のレンズ鏡筒（１）を備えたカメラ（２）である。
なお、符号を付して説明した構成は、適宜改良してもよく、また、少なくとも一部を他の構成物に代替してもよい。
【発明の効果】
【０００６】
本発明によれば、配線部材の配置の自由度を向上することができる。
【発明を実施するための最良の形態】
【０００７】
以下、図面等を参照して、本発明の実施形態について説明する。なお、以下に示す各図には、説明と理解を容易にするために、ｘｙｚ直交座標系を設けた。この座標系では、撮影者が光軸Ａを水平として横長の画像を撮影する場合のカメラの位置（以下、通常の撮影位置という）において撮影者から見て左側に向かう方向をｘプラス方向とする。また、通常の撮影位置において上側に向かう方向をｙプラス方向とする。さらに、通常の撮影位置において被写体に向かう方向をｚプラス方向とする。
【０００８】
図１は、本実施形態のレンズ鏡筒１の光軸Ａを含む断面における断面図であって収納状態を示している。図２は、図１のレンズ鏡筒１の撮影状態における断面図である。本実施形態のレンズ鏡筒１は、レンズ非交換式のデジタルカメラ２（以下、単に「カメラ」という）に含まれるものである。
【０００９】
レンズ鏡筒１は、第１レンズ群Ｌ１、第２レンズ群Ｌ２、鏡筒ベース部１０、固定筒２０、中間筒３０、カム筒４０、直進ガイド筒５０、第２レンズ群筒６０、第２レンズ群室７０、像ブレ補正ユニット（ＶＲユニット）８０、直進筒９０、第１レンズ群室１００及びモータ１１０を備える。
【００１０】
第１レンズ群Ｌ１及び第２レンズ群Ｌ２は、光軸Ａ方向に沿って被写体側から順次配列されている。これらの第１レンズ群Ｌ１、第２レンズ群Ｌ２は、２群構成のズームレンズを構成する。また、第１レンズ群Ｌ１は、フォーカスレンズとしても機能する。
【００１１】
鏡筒ベース部１０は、カメラボディ３に対して固定された板状の部材である。鏡筒ベース部１０は、ＣＣＤ（ｃｈａｒｇｅ−ｃｏｕｐｌｅｄ  ｄｅｖｉｃｅ）１１、ＬＰＦ（光学ローパスフィルタ）１２を備える。ＣＣＤ１１は、第１レンズ群Ｌ１、第２レンズ群Ｌ２が結像する被写体像を電気的な信号に変換する固体撮像素子である。ＬＰＦ１２は、ＣＣＤ１１が取得する画像上におけるモアレの発生を防止するものである。
【００１２】
固定筒２０は、レンズ鏡筒１を構成する筒体のうち最も外径側に配置された筒体であって、鏡筒ベース部１０に固定されている。固定筒２０は、その内径側であって、後述する中間筒３０の外径側に駆動ギア２１が配置されている。
【００１３】
中間筒３０は、固定筒２０の内径側に挿入された筒体である。中間筒３０は、光軸Ａ方向像側の外周面部に前述した駆動ギア２１に噛み合う歯部３１を備えている。また、中間筒３０は、外周面部にカムフォロワ３２を備えている。このカムフォロワ３２は、固定筒２０の内周面部に形成されたカム溝に挿入されている。
【００１４】
カム筒４０は、中間筒３０の内径側に挿入された筒体である。このカム筒４０は、光軸Ａ方向像側の外周面部にカムフォロワ４１を備えている。このカムフォロワ４１は、中間筒３０の内周面部に形成されたカム溝に挿入されるものである。カム筒４０は、その内周面部に２種類の図示しないカム溝を備えている。これらのカム溝のうち一方は、後述する直進筒９０のカムフォロワ９１が、他方は後述する第２レンズ群筒６０のカムフォロワ６１がそれぞれ挿入されている。
【００１５】
直進ガイド筒５０は、カム筒４０の内径側に挿入された筒体である。この直進ガイド筒５０は、後述する直進筒９０を光軸Ａ方向に直進案内するものである。
【００１６】
第２レンズ群筒６０は、カム筒４０の内径側に挿入された筒体であり、外周面部に上述のカムフォロワ６１が設けられている。第２レンズ群室７０は、第２レンズ群筒６０内の光軸Ａ方向被写体側に、第２レンズ群室７０に対して光軸Ａに直交する平面内において移動可能に配置されている。第２レンズ群室７０は、その中央部分に第２レンズ群用開口部７１が設けられ、この第２レンズ群用開口部７１の縁部に第２レンズ群Ｌ２が固定されている。
【００１７】
ＶＲユニット８０は、カメラ２に備えられた図示しないセンサの出力に応じて、第２レンズ群Ｌ２を光軸Ａに直交する平面内において、レンズ鏡筒１のピッチング、ヨーイングにそれぞれ対応した方向に移動（シフト）させることによって被写体像の像ブレ補正を行う公知の像ブレ補正部である。
【００１８】
直進筒９０は、直進ガイド筒５０の内径側に挿入された筒体であり、レンズ鏡筒１を構成する筒体のうち、カメラ２の撮影状態において、最も被写体側に配置される筒体である。直進筒９０は、光軸Ａ方向像側の外周面部にカムフォロワ９１を備える。このカムフォロワ９１は、前述したようにカム筒４０の内周面部に形成されたカム溝に挿入されるものである。また、直進筒９０の光軸Ａ方向被写体側の端部は、その端部を覆うように略円環形状の保持部９２が設けられている。
【００１９】
図３は、図２におけるＩＩＩ−ＩＩＩ矢視図である。保持部９２には、光軸Ａがその中心を通る円形の第１レンズ群用開口部９３（図１及び図２参照）が設けられている。この第１レンズ群用開口部９３の中心Ｐは保持部９２の中心Ｑに対して偏心している。また、第１レンズ群用開口部９３の外周部には像側に向かって円柱状のガイドピン９４が形成されている。
【００２０】
保持部９２における第１レンズ群用開口部９３の像側には、第１レンズ群室１００が配置されている。また、保持部９２の像側には、モータ１１０と、ギア列１１１と、フォトインタラプタ（以下、ＰＩという）１３０と、レンズバリアユニット１４０の開閉機構１４５とが配置されている。モータ１１０は、第１レンズ群室１００の光軸Ａ方向の保持部９２に対する相対移動を行うものである。ギア列１１１は、保持部９２に固定され、モータ１１０の駆動力を第１レンズ群室１００の相対移動に変換するものである。ＰＩ１３０は、第１レンズ群Ｌ１の位置を検出するものである。さらに保持部９２からは、モータ１１０及びＰＩ１３０に電力を供給するフレキシブルプリント基板（以下、ＦＰＣという）１２０が鏡筒ベース部１０側に延びている（図１及び図２参照）。
【００２１】
第１レンズ群室１００は、その内周縁部に第１レンズ群Ｌ１を保持している。第１レンズ群室１００の外周面部には、第１レンズ群室１００の外径側に突き出して形成されたねじ部１０３が形成されている。このねじ部１０３は、後述するギア列１１１の第２フォーカスギア１１４に備えられたスクリューネジにネジ結合する図示しない雌ネジ部を備えている。
【００２２】
また、第１レンズ群室１００の外周面部における、ねじ部１０３の中心Ｐを挟んだ反対側には、第１レンズ群室１００の、保持部９２に対する光軸Ａ方向の相対移動を案内すると共に、その回転を防止するためのガイド部１０１が設けられている。ガイド部１０１は第１レンズ群室１００の外周面部から径方向外側に突き出して形成され、このガイド部１０１には第１レンズ群室１００の外径側に開口するガイド孔１０２が設けられている。このガイド孔１０２には、図３に示すように、保持部９２に設けられた前述のガイドピン９４が挿入されている。
【００２３】
モータ１１０は、第１レンズ群Ｌ１のフォーカス用のステッピングモータであり、出力軸の軸線方向は、光軸Ａと直交するように配置されている。ここで、このモータ１１０の保持部９２上における配置について説明する。第１レンズ群用開口部９３の中心Ｐは上述のように、保持部９２の中心Ｑに対して偏心して配置されるため、保持部９２において径方向の幅の広い領域（保持部９２のｙプラス側）と幅の狭い領域（保持部９２のｙマイナス側）とが形成される。また、保持部９２の表面領域を、ギア列１１１とガイドピン９４とを結ぶ直線Ｂにより領域ＺＡと領域ＺＢとに２分する。そして領域ＺＡをさらに２分し、径方向の幅の最も広い領域を含む側（図３において保持部９２面上のｙプラス方向の斜線を引いた領域）をＺＡ１とし、他方（図３において保持部９２面上のｘマイナス方向の斜線を引いていない領域）を領域ＺＡ２とする。また、領域ＺＢもさらに２分し、径方向の幅の最も狭い領域を含む側（図３において保持部９２面上のｙマイナス方向の斜線を引いた領域）をＺＢ１とし、他方（図３において保持部９２面上のｘプラス方向の斜線を引いていない領域）を領域ＺＢ２とする。モータ１１０はこのように保持部９２の表面領域を４つに分割したときの、領域ＺＡ１に配置されている。
【００２４】
ギア列１１１は、かさ歯車１１２、第１フォーカスギア１１３、第２フォーカスギア１１４を備えている。かさ歯車１１２は、モータ１１０の出力軸の先端部に圧入されている。第１フォーカスギア１１３は、かさ歯車１１２に隣接して配置され、モータ１１０から出力される回転力の回転軸線方向を略９０°変えるようになっている。第２フォーカスギア１１４は、第１フォーカスギア１１３の平歯車部に噛み合う歯車であり、第２フォーカスギア１１４の回転に連動して回転する図示しないスクリューネジが圧入されている。このスクリューネジは、第１レンズ群室１００に形成された前述のねじ部１０３にネジ結合され、第１レンズ群室１００を光軸Ａ方向に駆動する。この、ギア列１１１は第２フォーカスギア１１４の約半分を除き、領域ＺＡ１に配置されている。
【００２５】
ＰＩ１３０は、第１レンズ群の位置を検出するものである。ＰＩ１３０は、上述の、領域ＺＡの２分割された領域のうちの図３において保持部９２面上のｘマイナス方向の斜線を引いていない領域ＺＡ２に配置されている。
【００２６】
レンズバリアユニット１４０は、レンズ鏡筒１の収納状態において第１レンズ群Ｌ１の入射面を保護するものであって、保持部９２の被写体側に配置されるバリア羽根１４１と、保持部９２の像側に配置され且つバリア羽根１４１を開閉するためのレバー１４２と、駆動ピン１４３とを備えている。バリア羽根１４１は、撮影状態においては、図示しないバネによって開状態となる方向に付勢されている。そしてレンズ鏡筒１が沈胴状態に移行する際に、駆動ピン１４３が直進ガイド筒５０と一体に形成された図示しない係合部と係合し、保持部９２の外径方向に押され、レバー１４２がその回転軸１４４を中心として回転することにより、バリア羽根１４１がバネの付勢力に抗して閉じるようになっている。この、レンズバリアを開閉するためのレバー１４２と駆動ピン１４３は、直線Ｂにより２分割された領域のうちのモータ１１０が配置された領域ＺＡにおける領域ＺＡ１から領域ＺＡ２に延在してその一部がモータ１１０と重なるようにして配置されている。
【００２７】
ＦＰＣ１２０は、レンズ鏡筒１内を光軸方向に延びる第１の部分１２１と保持部９２面上を延びる第２の部分１２２とを有する。第１の部分１２１は、短手方向に延びる折り目によって山折りと谷折りとが繰り返されており、その一端が、直線Ｂにより２分割された領域のうちのモータ１１０が配置されていない側ＺＢにおける領域ＺＢ１の略中央部において保持部９２に接続（接続部１２３）されている。また、第２の部分１２２は、その接続部１２３から、保持部９２の表面に沿ってモータ１１０側とＰＩ１３０側との２方向に延びている。
【００２８】
第１の部分１２１は、その接続部１２３から図１及び図２に示すように、上述したように山折りと谷折りとが繰り返された伸縮可能な状態で像側に向かって延び、ＶＲユニット８０及び鏡筒ベース部１０を通過し、カメラボディ３内の図示しない電源へと接続される。この山折りと谷折りとの間の直線部は、折り畳まれたときに図３に示すように保持部９２上において領域ＺＢ１から領域ＺＢ２にわたって収納されるように配置される。この領域ＺＢ１及び領域ＺＢ２は、上述のように、モータ１１０、開閉機構１４５及びＰＩ１３０が配置されていない領域である。したがって、ＦＰＣ１２０の第１の部分１２１は、図１に示す沈胴状態において折り畳まれたときに、折り目と折り目との間の直線部の長さ（折幅）がある程度大きくても、モータ１１０、開閉機構１４５及びＰＩ１３０と接触しない。
【００２９】
次に、レンズ鏡筒１の沈胴状態と撮影状態との間における移行時の動作について説明する。撮影者等のユーザによって図示しない電源スイッチがオン操作されると、駆動ギア２１が回転する。これによって中間筒３０が、固定筒２０のカム溝に案内されて光軸Ａ方向被写体側に繰り出される。中間筒３０が光軸Ａ方向被写体側に繰り出されると、中間筒３０のカム溝に案内されてカム筒４０が光軸Ａ方向被写体側に繰り出される。このカム筒４０の移動に伴い、第２レンズ群筒６０も光軸Ａ方向像側に移動する。カム筒４０が光軸Ａ方向被写体側に繰り出されると、カム筒４０のカム溝及び直進ガイド筒５０に案内されて直進筒９０及び第１レンズ群室１００が光軸Ａ方向被写体側に直進移動する。また、これに伴いレンズバリアユニット１４０が閉状態から開状態に移行して、カメラ２は撮影状態となる。このとき、ＦＰＣ１２０の第１の部分は、山折と谷折りの部分の角度が広がり、レンズ鏡筒１の撮影状態への移行に伴って延びる。
【００３０】
撮影状態において、電源スイッチがオフ操作されると、駆動ギア２１が逆転して、上記の場合とは逆に各筒体が光軸Ａ方向像側に移動する。これに伴いレンズバリアユニット１４０が開状態から閉状態に移行して、カメラ２は収納状態となる。このとき、ＦＰＣ１２０の山折と谷折りの部分の角度は小さくなり、ＦＰＣ１２０の第１の部分は、保持部９２における領域ＺＢ１からＺＢ２にわたる領域に収納される。
【００３１】
以上、説明したように、本実施形態のレンズ鏡筒１、カメラ２によれば、以下の効果を得ることができる。
（１）本実施形態によると、保持部９２におけるギア列１１１とそのギア列１１１に対して第１レンズ群用開口部９３を挟んで反対側に配置されたガイドピン９４を結ぶ直線により２分割された領域のうちの一方ＺＡにモータ１１０、ＰＩ１３０、レンズバリアユニット１４０が配置され、２分割された他方ＺＢ側おいてＦＰＣ１２０が保持部９２から固定筒２０側に延びている。このように保持部９２を２分割し、一方にモータ１１０等の他部品を集中的に配置し、他方からＦＰＣ１２０を延ばしため、ＦＰＣ１２０が収納されたときに、他部品に当たることがない。また、ＦＰＣ１２０は、このように他部品が配置されていない部分に配置されているため、山折りと谷折りとの間隔を広くとることができ、ＦＰＣ１２０全体において折れ曲がる回数が少なくてよい。ゆえにＦＰＣ１２０の耐久性が向上する。
（２）本実施形態によると、ＦＰＣ１２０が短手方向に延びる折り目を有する山折りと谷折りとを繰り返した蛇腹の断面状の伸縮構造を備える。したがってＦＰＣ１２０は沈胴時にその折り目に沿って規則正しく折れ曲がり、レンズ鏡筒１内においてＦＰＣ１２０を整然と収納することができる。
（３）保持部９２の第１レンズ群用開口部９３部の中心が保持部９２の中心に対して偏心して配置されている。このため、保持部９２において径方向の幅の広い部分と幅の狭い部分とが形成され、幅の広い部分にモータ１１０を配置することができる。
【００３２】
（変形形態）
以上説明した実施形態に限定されることなく、種々の変形や変更が可能であって、それらも本発明の技術的範囲に含まれる。
（１）本実施形態においてＦＰＣ１２０は蛇腹の断面状に山折りと谷折りとを繰り返す構成であったがこれに限定されず、例えばＵ字状のカーブを繰り返した構造であってもよい。
（２）本実施形態では、ＦＰＣ１２０の山折りと谷折りとの間の直線部は、折り畳まれたときに、その大部分が保持部９２上における領域ＺＢ１に収納されるように配置されているがこれに限定されない。他部品が配置されていない領域ＺＢであれば、例えば領域ＺＢ２に収納されるように配置されてもよい。
（３）本実施形態では、保持部９２の第１レンズ群用開口部９３部の中心が保持部９２の中心に対して偏心して配置されているが、これに限定されず、保持部９２の第１レンズ群用開口部９３部の中心と保持部９２の中心とが同一位置にあってもよい。
（４）本実施形態では、可撓性を有する配線部材としてＦＰＣを用いたがこれに限定されず、他のワイヤ状の配線部材であってもよい。
（５）本実施形態のレンズ鏡筒１に備えられた撮影光学系は、２群構成のズームレンズであるが、撮影光学系の構成は、２群構成に限らず、例えば、３群、４群構成であってもよい。また、レンズ群の配置も適宜変更が可能であり、例えば、本実施形態とは逆に、第１レンズ群をブレ補正光学系とし、第２レンズ群によってフォーカシングを行なってもよい。
（６）本実施形態のレンズ鏡筒１は、デジタルカメラ２に備えられるものであったがこれに限定されず、例えば、フィルムカメラであってもよく、また、動画を撮影するムービーカメラ等であってもよい。また、レンズ交換式カメラの交換式レンズ鏡筒であってもよい。
なお、本実施形態及び変形形態は、適宜組み合わせて用いることもできるが、詳細な説明は省略する。また、本発明は以上説明した各実施形態によって限定されることはない。
【図面の簡単な説明】
【００３３】
【図１】本実施形態のレンズ鏡筒の光軸を含む断面における断面図であって収納状態を示している。
【図２】図１のレンズ鏡筒の撮影状態における断面図である。
【図３】図２のＩＩＩ−ＩＩＩ矢視図である。
【符号の説明】
【００３４】
１：レンズ鏡筒、２：カメラ、２０：固定筒、９０：直進筒、９２：保持部、９３：第１レンズ群用開口部、９４：ガイドピン、１０１：ガイド部、１１０：モータ、１１１：ギア列、１２０：ＦＰＣ、１４５：開閉機構、Ｌ１：第１レンズ群、ＺＡ：領域、ＺＢ：領域
【図１】
2008304796.tif 000003
【図２】
2008304796.tif 000004
【図３】
2008304796.tif 000005